(57)【要約】本発明は、家具(M)の一部のドア(A)を移動させるアセンブリ(100)に関する。更に、少なくとも１つの側部(S)を備え、アセンブリ(100)は引き込まれた形態と引き出された形態との間を動くように構成されて、閉位置と開位置との間でドア(A)を機能的な回転並進運動に従って駆動し、閉位置ではドアは垂直面内に位置し、開位置ではドア(A)は側部(S)に片持ち支持される。特に、アセンブリ(100)は第１のピン(2)が好ましい第１の回転軸の周りにて、側部(S)に第１の端部(1A)が回転可能に連結された第１のアーム(1)と、第２のピン(5)が好ましい第２の回転軸の周りにて、第１のアーム(1)の第２の端部(1B)に第１の端部(8A)を連接した第２のアーム(8)と、第３のピン(14)が好ましい第３の回転軸の周りにて、第２のアーム(1)の第２の端部(8B)に連接された第３のアーム(10)とを備え、該第３のアーム(10)はドア(A)に取り付けられる。引き込まれた形態と引き出された形態の間の通路において、閉位置と開位置の間でドア(A)の回転並進運動を案内するガイド手段(6,11)が付与される。アセンブリ(100)は回転の固定中心を形成する第１の回転軸の周りを回転し、第２の回転軸と第３の回転軸は、アーム(1,8,10)とともに移動可能な回転の瞬間中心を形成する。【選択図】図２Ｃ
2018535344.tif 000002
【特許請求の範囲】
【請求項１】
少なくとも１つの側部(S)を備え、家具(M)の一部分であるドア(A)を動かすアセンブリ(100)であって、引き込まれた形態と引き出された形態の間を移動するように構成されて、ドア(A)を大凡垂直面内にある閉位置と、ドア(A)が側部(S)に片持ち支持された開位置の間を回転並進に従って駆動するアセンブリ(100)において、更に、
-第１の回転軸の周りにて、第１の端部(1A)を側部(S)に回転可能に連結するように構成された第１のアーム(1)と、
-第２の回転軸の周りにて、第１の端部(8A)を第１のアーム(1)の第２の端部(1B)に回転可能に連結するように構成された第２のアーム(8)と、
-第３の回転軸の周りにて、第２のアーム(8)の第２の端部(8A)に連接されて、ドア(A)に連繋される第３のアーム(10)と、
-閉位置と開位置との間でドア(A)の回転並進運動を案内するガイド手段(6,11)を備え、
引き込まれた形態と引き出された形態の間の通路にて、アセンブリ(100)は回転の固定中心を形成する第１の回転軸の周りに回転し、第２の回転軸と第３の回転軸は、３つのアーム(1,8,10)と共に移動可能な回転の瞬間中心を形成する、アセンブリ(100)。
【請求項２】
第１の回転軸は第１のピン(2)によって付与され、及び/又は第２の回転軸は第２のピン(5)によって付与され、及び/又は第３の回転軸は第３のピン(14)によって付与される、請求項１に記載のアセンブリ(100)。
【請求項３】
更に、駆動及び保持手段(7)を備え、該駆動及び保持手段(7)はアセンブリ(100)が引き出された形態にあるときは、ドア(A)の開動作を駆動してドア(A)を開位置に保持し、アセンブリ(100)が引き込まれた形態にあるときは、ドア(A)を閉位置に戻してドア(A)を閉位置に保持する、請求項１又は２に記載のアセンブリ(100)。
【請求項４】
駆動及び保持手段(7)は、第１の回転軸の周りにて第１のアーム(1)と同軸にヒンジ接続される第１の端部(7A)と、第２のアーム(8)と同軸にヒンジ接続される反対側の端部(7B)を備えた前負荷が掛けられた弾性手段を備える、請求項３に記載のアセンブリ(100)。
【請求項５】
弾性手段は、第１及び第２の含有部分(9A、9B)によって形成される含有部材(9)の内側に収納された複数の螺旋バネを備え、該複数の螺旋バネは互いに分離され夫々の端部(7A,7B)にて整列された、請求項４に記載のアセンブリ(100)。
【請求項６】
更に、弾性手段の前負荷を調整する調整手段(70)を備え、該調整手段は第１の隣接手段(72)と一体となった少なくとも１つの調整ネジ(71)を備えて、弾性手段(7)の第１の端部(7A)から第１の端部と同軸に挿入可能であり、調整ネジ(71)は弾性手段(7)の第２の端部(7B)から同軸に挿入可能であり、第２の隣接手段(91)と一体である対応する係合本体(73)と協働するように構成されて、第１の隣接手段(72)と第２の隣接手段(91)との間で弾性手段(7)を圧縮し又は圧縮解除する、請求項４又は５に記載のアセンブリ(100)。
【請求項７】
ガイド手段(6,11)は、第１の端部(6A)が側部(S)に連繋した第４の回転軸の周りに連接し、反対側の端部(6B)が第５の回転軸の周りにて第２のアーム(8)に接続可能な第１のタイロッド(6)と、第１の端部(11A)が第６の回転軸の周りにて第１のアーム(1)の第２の端部(1B)に連接し、反対側の端部(11B)が第７の回転軸の周りにて第３のアーム(10)の第１の端部(10A)に接続される第２のタイロッド(11)とを備える、請求項１乃至６の何れかに記載のアセンブリ(100)。
【請求項８】
第４の回転軸は第４のピン(4)によって付与され、及び/又は第５の回転軸は第５のピン(12)によって付与され、及び/又は第６の回転軸は第６のピン(13)によって付与され、及び/又は第７の回転軸は第７のピン(17)によって付与される、請求項７に記載のアセンブリ(100)。
【請求項９】
前記の第１のアーム(1)と第２のアーム(8)と第３のアーム(10)は、箱形の剛性中空体によって形成され、少なくともガイド手段(6,11)及び駆動及び保持手段(7)を収納する、請求項３乃至８の何れかに記載のアセンブリ(100)。
【請求項１０】
開位置から閉位置への通路にて、ドア(A)の動きを減衰し制御する減衰手段(15)を備えた、請求項１乃至９の何れかに記載のアセンブリ(100)。
【請求項１１】
伝達手段(150)を介して作動手段(200)がアセンブリ(100)に連繋して、ドア(A)の動きを容易にし、該作動手段(200)は側部(S)に連繋した電気モータ(21,22)を少なくとも備え、前記伝達手段(150)は少なくとも１つの歯付きホィール(18,19)を備え、該歯付きホィールは少なくとも１つの電気モータ(21,22)によって付与される回転可能な動きを対応する歯付きホィール(20)に伝達するように構成され、該歯付きホィール(20)は第１の回転軸と同軸であって、第１のアーム(1)に一体的に取り付けられた、請求項１乃至１０の何れかに記載のアセンブリ(100)。
【請求項１２】
請求項１乃至１１の何れかに記載のアセンブリ(100)を更に備えた、少なくとも１つの側部(S)とドア(A)を備えた家具(M)の一部分。
【発明の詳細な説明】
【技術分野】
【０００１】
本発明は、閉位置と開位置の間を回転並進することにより、家具の一部分であるドアを動かす多関節の(articulated)のアームを備えたアセンブリに関し、閉位置ではドアは垂直面内に位置して家具の一部分の側部に隣接し、開位置ではドアは家具の一部分又は上に横たわる棚の頂部に対応して片持ち支持される。本発明は更に家具の一部分に関する。
【背景技術】
【０００２】
家具業界において、家具は公知の如く、２つの垂直な平行な側部、頂部、基部及び任意の後壁を有する平行六面体の形式で作られて、対象物、食物、服等が格納される内側区画を規定する。
内部区画にアクセスする前面開口は、閉位置と開位置の間を移動可能な１以上のドアによって選択的に閉塞され、閉位置では内部区画へのアクセスが阻止され、開位置では内側の内容物にアクセスされ得る。
【０００３】
閉位置と開位置の間の通路は、種々の異なった方法で実行され、実際は例えばドアは家具の一部分の片側にヒンジ接続されて、一方の位置から他方の位置への通路は垂直軸周りの回転によって生じ、それ故に可成りの空間が必要であり、使用者の側方移動が妨げられる。
【０００４】
この欠点を克服すべく、スライド式のドアが提案され、一方の位置から他方の位置への通路は側方又は垂直方向のスライドにより生じる。しかし、家具の一部分の内側区画の一部へのアクセスは困難か不可能である。
【０００５】
最近では特に、例えばキッチン用だけでなく、リビングルームやバスルームの吊り下げ用の家具についても、マーケットは開/閉システムに照準を定め、開位置に於いてドアは家具の一部分のカバー又はより多くの空間を備えた家具の場合、おそらくは棚の頂部に対応して、家具の一部分の本体から片持ち支持される。この解決策は、より人間工学的であり、ドアが開位置にあるときでさえ、使用者による容易な側方移動を可能にするので、高く評価される。
【０００６】
特に、開位置は、閉位置から少なくとも90°のドア回転を確実にすることによって達成することができ、ドアは家具の一部分のカバーによって規定される同一面内に位置する。しかし、内部区画へよりアクセスし易くすることを確実にすべく、ドアが閉位置から90°よりも大きな角度で回転することが好ましく、ドアは開位置に於いて、頂部によって、好ましくは上方に規定された平面に対して傾斜した面に沿って配置される。
【０００７】
この条件を満たすべく、ドアの閉位置から開位置への通路は、本質的に、回転並進運動における一貫した軌道に従って生じなければならず、回転並進運動は、即ちドアが文脈的に家具の一部分から離れるように移動する並進運動と、大凡水平軸の周りの回転運動の組み合わせ動作であり、明らかにこの軌道は開位置と閉位置の間の通路においてドアによって辿らなければならない。これにより、開位置と閉位置との間の通路中は、ドアの軌跡は他のドアを邪魔せず、移動し且つ隣接する他のドアと同一平面上の位置に配置される。
【０００８】
更に、安全上の理由から、開位置にてドアは家具の一部分の本体から大凡片持ち支持されているので、この位置に維持する手段が付与されなければならず、自身の重量動作により、閉位置に抑えきれずに戻ることを阻止する。
【０００９】
この移動を有効にするためのさまざまなタイプのデバイスがある。例えば、一方の端部が家具の一部分の内側にヒンジ結合され、他方の端部が関連するドアに結合されたガスピストンまたはばねを使用するシステムが公知であり、ドアの重量を持ち上げることができ、閉鎖運動が妨げられる。そのようなシステムでは、ドアの軌道は、ドアの上端及び家具の一部分のカバーに取り付けられた可変のピボットヒンジによって駆動される。
【００１０】
しかし、このようなシステムには欠点がある、何故なら多数の要素を使用しなければならず、側部および上部の両方にて、家具の一部分にそれらを取り付けるために（多くの）穴が作られなければならないからである。更に、特にガスピストンの場合、ドアのサイズとドアの重量は変化するから、可変の力を有する大胡の異なるタイプのピストンが準備され、ストッ句を維持しなければならないからである。
【００１１】
ドアを取り扱う別のタイプの公知の装置は、家具の一部分の片側内面に取り付けることができる多関節アームを有する機構を使用して、同じ所望の回転並進運動を行い、家具の一部分のカバー内のヒンジを使用する必要なしにドアを開位置に保つことができる。
【００１２】
このタイプのドアの持ち上げ機構は例えば、国際公開2012/059173号及び米国公開公報2013/0333291号に記載され、両機構は大凡同じ要素を含み、異なる方法で編成され、特にバネのような弾性機構を備え、該弾性機構は例えば第１のピンである第１軸の回りの家具の一部分の側部にて第１の端部に回転可能に連結され、反対側の端部にて第１の剛性アームに連結され、例えば第２のピンである第２軸の周りを回転し、家具の一部分の側部にも取り付けられる。この第１の剛性アームは、それらの間の多数の変化した関節要素によってドアに動作可能に接続され、そのいくつかは静止した回転軸の周りに回転可能に結合される。
従って、これらの全ての機構は、ドアの移動を可能にするために家具の片側に取り付けられた少なくとも３つの軸/ピンを必要とする。
【００１３】
一般的に、ポリマー材料で作られたカバーケーシングが、家具の一部分の片側に取り付けられて、ドアのアセンブリを保持して保護し、ドアのアセンブリが移動時にアセンブリの内側に指が捉えられることにより、使用者自身が傷つけられることを避けることが出来る。
これらの機構は正常に機能するが、いくつかの欠点が発見された。先ず１つ目は、それらはむしろ複雑でかさばり、家具の一部分の内部から有用な空間を減じ、美的外観を損なう。
【００１４】
更に、カバーケーシングの存在に拘わらず、ドアが開位置の時に、使用者が傷付けられる可能性があり、従って、アセンブリは引き出された形態であり、カバーケーシングの内部空隙は、多関節アームの移動に必要な側部開口部を介して大凡アクセス可能である。
最後に必要であれば、そのような機構はサーボアシストされて、電動モータによって作動されるリニアアクチュエータがそれらに付加されて、そのような機構はさらに大きくなる。
【発明の概要】
【発明が解決しようとする課題】
【００１５】
本発明の目的は、よりコンパクトで安全な家具用のドアアセンブリを提案することによって上記の先行技術の欠点を克服することである。
【００１６】
上述の目的の為に、本発明の目的は、家具の一部分の側部に最小数の固定点を必要とする家具の一部分用のドアアセンブリを提供することであり、それにより、アセンブリの内側に向かって顕著に目に見える開口部を残すことなく、かつカバーケーシングの取り付けを必要とすることなく、美的外観を維持し、同時に美的に心地よくさせる。
【００１７】
本発明の他の目的は、決定的に実用的であり、ドアが円滑に動くことを確実にする家具用のドアアセンブリを提供することである。
【００１８】
本発明の別の目的は、上述の課題及び目的を競争力のある製造コストで達成する家具用ドアアセンブリを提供することであり、その使用は経済的観点からも有利であり、従来且つ公知の工具、機械及び装置を用いて得ることができる。
【課題を解決するための手段】
【００１９】
上記の課題及び目標及び以下に示す他の課題及び目標は、請求項１に記載の家具用のドアアセンブリによって達成される。
上記した種類の進歩性のあるアセンブリは、好ましくは第１のピンである第１の回転軸の周りにて、側部に第１の端部が回転可能に連結された第１のアームと、第２のピンが好ましい第２の回転軸の周りにて、第１のアームの第２の端部に第１の端部を連接した第２のアームと、第３のピンが好ましい第３の回転軸の周りにて、第２のアームの第２の端部に連接された第３のアームとを備え、該第３のアームはドアに連繋される。更に、引き込まれた形態と引き出された形態の間の通路において、閉位置と開位置の間でドアの回転並進運動を案内するガイド手段が付与される。アセンブリは回転の固定中心を形成する第１の回転軸の周りを回転し、第２の回転軸と第３の回転軸は、アームとともに移動可能な回転の瞬間中心を形成する。
【００２０】
この方法で、１つの固定した回転軸がドアを支持するのに十分であり、家具の一部分である側部の外観を保護する(preserve)スリムなデザインを可能にする。更に、更なる支持手段、例えば家具の一部分である本体にドアを取り付ける更なるヒンジは不要である。
【００２１】
好ましい実施形態において、アセンブリは更に駆動及び保持手段を備え、該駆動及び保持手段は、ドアの開動作を駆動し、アセンブリが引き出された形態にあるときは、ドアを開位置に保持し、ドアを閉位置に戻し、アセンブリが引き込まれた形態にあるときは、ドアを閉位置に保持する。
【００２２】
アセンブリの更に好ましい実施形態において、駆動及び保持手段は前負荷が掛けられた弾性手段を備え、前負荷弾性手段は、第１の回転軸の周りにて第１のアームと同軸にヒンジ接続された第１の端部と、第２のアームにヒンジ接続された反対側の端部を備える。
【００２３】
アセンブリの更に好ましい実施形態において、弾性手段は第１及び第２の含有部分によって形成される含有部材の内側に収納された複数の螺旋バネを備え、該複数の螺旋バネは互いに分離され夫々の端部にて整列されている。
【００２４】
アセンブリの更に好ましい実施形態において、弾性手段の前負荷を調整する調整手段を備え、該調整手段は第１の隣接手段と一体となった少なくとも１つの調整ネジを備えて、調整ネジは弾性手段の第１の端部から第１の端部と同軸に挿入可能であり、調整ネジは弾性手段の第２の端部から同軸に挿入可能であり、第２の隣接手段と一体である対応する係合本体と協働するように構成されて、第１の隣接手段と第２の隣接手段との間で弾性手段を圧縮し又は圧縮解除する。
【００２５】
アセンブリの更に好ましい実施形態において、ガイド手段は、第１の端部が側部に連繋した第４の回転軸の周りに連接し、反対側の端部が第５のピンが好ましい第５の回転軸の周りにて第２のアームに接続可能な第１のタイロッドと、第１の端部が第６のピンが好ましい、第６の回転軸の周りにて第１のアームの第２の端部に連接し、反対側の端部が第７のピンが好ましい第７の回転軸の周りにて第３のアームの第１の端部に接続される第２のタイロッドとを備える。
【００２６】
アセンブリの更に好ましい実施形態において、第１のアームと第２のアームと第３のアームは、箱形の剛性中空体によって形成され、少なくともガイド手段及び駆動及び保持手段を収納する。
アセンブリの更に好ましい実施形態において、アセンブリは開位置から閉位置への通路にて、ドアの動きを減衰し制御する減衰手段を備えている。
【００２７】
アセンブリの更に好ましい実施形態において、伝達手段を介して作動手段がアセンブリに連繋して、ドアの動きを容易にし、該作動手段は側部に連繋した電気モータを少なくとも備え、前記伝達手段は少なくとも１つの歯付きホィールを備え、該歯付きホィールは少なくとも１つの電気モータによって付与される回転可能な動きを対応する歯付きホィールに伝達するように構成され、該歯付きホィールは第１の回転軸と同軸であって、第１のアームに一体的に取り付けられている。
【００２８】
少なくとも側部及びドアを備えた本発明の家具の一部分は、上述したようなアセンブリを備えることを特徴とする。アセンブリに関連して記載したのと同じ利点が生じる。
【図面の簡単な説明】
【００２９】
本発明の利点と特徴は例として以下の図面に示されるが、添付の図面に関するものに限定されない。
【図１Ａ】本発明に従ったドアアセンブリを含むキャビネットの斜視図であり、ドアは閉位置にある。
【図１Ｂ】図１Ａに示す家具の一部分の前面図である。
【図１Ｃ】図１Ａ及び図１Ｂの家具の一部分を示し、図１ＢをＣ-Ｃ面で破断して、引込まれた構成における本発明に従ったドアアセンブリを示す。
【図２Ａ】本発明に従ったドアアセンブリを含む家具の一部分の斜視図であり、ドアは開位置にあり、ドアアセンブリは引き出された形態にある。
【図２Ｂ】図２Ａに示す家具の一部分の前面図である。
【図２Ｃ】図２Ａ及び図２Ｂの家具の一部分を示し、図２ＢをＣ-Ｃ面で破断して、本発明に従ったドアアセンブリを示す。
【図３Ａ】本発明に従った家具の一部分用のドアアセンブリを拡大して示す。
【図３Ｂ】本発明に従った家具の一部分用のドアアセンブリを拡大して示す。
【図４】本発明に従ったドアアセンブリのコンポーネント要素を拡大して示す。
【図５】引き込まれた形態における本発明に従ったドアアセンブリを示す断面図である。
【図６】本発明に従ったドアアセンブリの断面図であり、特に引き込まれた形態と引き出された位置の間の移行時に生じる「デッドロック」形態を示す。
【図７】引き出された形態における本発明に従ったドアアセンブリを示す断面図である。
【図８Ａ】作動手段に取り付けられた本発明に従ったドアアセンブリを含む家具の壁取付け部分の第２の断面図を示し、ドアは閉位置でアセンブリは引き込まれた形態にある。
【図８Ｂ】作動手段に取り付けられた本発明に従ったドアアセンブリを含む家具の壁取付け部分の第２の断面図を示し、ドアは開位置で、アセンブリは引き出された形態にある。
【図９Ａ】図８Ａの断面図における家具の一部分を示し、水平面は家具の同じ部分のカバーに対応する。
【図９Ｂ】図８Ａの断面図における家具の一部分を示し、作動手段に取り付けられた本発明に従ったドアアセンブリも同様に断面図で示される。
【図９Ｃ】図９Ｂの円で囲った詳細箇所を拡大して適切に示す。
【発明を実施するための形態】
【００３０】
図１Ａ-図１Ｃ及び図２Ａ-図２Ｃに関し、ドアＡに取り付けられてドアＡを動かすアセンブリ100が本発明に従って示され、該アセンブリ100はキャビネットが好ましい平行六面体から形成される家具Ｍの一部分に取り付けられるのに適切であり、家具Ｍは並行で垂直なパネルから作られる一対の側部Ｓ、カバーＴ、ベースＢ、及び付随的に後壁Ｒを備え、平坦なドアＡによって選択的に閉鎖可能な前面開口を備えた内部区画を形成する。
【００３１】
アセンブリ100は家具Ｍの一部分の区画に収納されるのに適切であり、側部Ｓの内面に連繋してドアＡを閉位置と開位置の間で移動させ、閉位置ではドアは垂直面内に位置して少なくとも一対の側部Ｓの端縁に隣接して、前面開口を大凡閉塞し、開位置ではドアＡは家具の一部分又は頂部Ｔに対応して側部Ｓに片持ち支持されて、前面開口を少なくとも部分的にフリーに残す(leave)。
【００３２】
好ましくは、ドアＡの移動について、一対のアセンブリ100が用いられ、アセンブリは大凡同じであり、家具Ｍの一部分の一対の各側部Ｓの各内面に対して左右対称に関係付けられ、重量分布を改善し、従って作動力(effort)を改善し、動作が出来る限りスムーズであることを確実にする。
【００３３】
以下の記載では、添付の図面に関連して、要素及び部品は家具Ｍの一部分の２つの側部Ｓの１つに嵌合されるアセンブリ100について記載される。勿論、他の側部Ｓに取り付けられるアセンブリ100の要素及び部品は対称的である。
【００３４】
更に、本発明を記載する為にここで使用される「上方、下方、垂直、上及び下」のような方向の用語は他の同様の方向の用語と共に、本発明に従った使用時のどのアセンブリに関連するものと解釈されるべきである。
【００３５】
本発明の有利な特徴によれば、アセンブリ100は、各々が対応する長い剛性要素によって形成された第１、第２及び第３のアーム1、8、10を含み、連接して多関節に連結されてドアＡを側部Ｓに回転可能に接続する。
【００３６】
特に、第１のアーム1は第１のピン2の回りで家具Ｍの一部分の側部Ｓを形成する大凡垂直なパネルの内面に回転可能に連結され、第１のピン2は側部Ｓに大凡直交して延び、第１のアーム１がその回りを回転することが出来る水平軸Ｘ-Ｘを大凡規定する。
第２のアーム8は第１のアーム１の自由端部にて第２のピン5の回りに連接され、ドアAに取り付けられる第３のアーム10は第２のアーム8の一端部に連接される。
【００３７】
本発明の非常に有利な特徴により、第１のピン2は大凡アセンブリ100の唯一の固定された回転中心を形成し、第２及び第３のピン5、14は第２の軸及び第３の軸を提供し、実際には、第１及び第２の瞬間回転中心は、対応するアーム8、10と一緒に、前記側面Sによって画定される表面と本質的に一致するまたは平行な作業面上で移動するのに適している。
【００３８】
一対のロッドのようなガイド手段も、アセンブリ100の動きを案内するのに有利なものとして付与され、従って、閉位置と開位置との間の切り替えにおいて、ドアＡに回転並進の所望の軌道を提供するために、作業平面内に多関節アーム1、8、10を有する。
【００３９】
本質的に、アセンブリ100は、引き込み位置(図１Ａ-図１Ｃ)と引き出された形態(図２Ａ-図２Ｃ)の間で移動することができ、引き込み位置では第２の瞬間回転中心として定義される第３のピン14は、第1のピン2と第2のピン5が配置される空間に位置し、この形態はドアＡが閉位置の時に採られ、引き出された形態では第３のピン14は第１のピン２と第２のピン５が位置する高さと少なくとも等しく、好ましくは該高さよりも高く、この形態はドアＡが開位置の時に得られる。
【００４０】
更に、本発明の有利な特徴により、アセンブリ100は駆動及び保持手段７を備えるのが好ましく、該手段7はドアＡの開動作を駆動するのに置かれ構成され、アセンブリ100がドアＡを閉位置に向けて戻す引き出された形態にあるときに開位置に保持し、アセンブリ100が引き込み形態にあるときに閉位置に保持する。
【００４１】
前記駆動及び保持手段7は、前負荷が掛けられた少なくとも1つのコイルばねのような弾性手段で形成されるのが好ましく、第１の端部を第１のピン2の回りに同軸にヒンジ接続し、他方の端部を第２のアーム8にヒンジ接続するのが好ましい。
第１、第２及び第３のアーム1、8、10及び案内ロッドは、おそらくは大凡剛性の平坦な要素から製造されてもよく、故に非常に小さな寸法を確実にするが、この場合、安全の理由から外部保護ケースが付与される。
【００４２】
図３Ａ及び図３Ｂに示すような本発明の好ましい実施形態に従って、第１のアーム1、第２のアーム8及び第３のアーム10は、代わりに、箱形の剛性中空体によって形成され、各アームは少なくとも一対の平行な対向する壁を備え、少なくともガイド手段6、11のような動きを付与し、深さを持った本体で形成されるのが好ましく、異なる部品と要素、及び前記の駆動/保持手段7を内部に収納するのが好ましく、このようにして有利なことに、アセンブリ100は外部保護ケースの使用を必要としない。
【００４３】
適切な場合には、保護要素50をアーム1、8、10に、好ましくは夫々の端部に設けることができ、保護要素50は、ドアＡの開閉動作中にアセンブリ100の動きを妨げないように構成されているが、アセンブリが動いているときに、アーム1、8、10を構成する箱状体にユーザが誤って指を挿入することも防止する。
【００４４】
特に、第１のアーム1は第１のピン2の回りにて、第１の端部1Aを家具Ｍの一部分の側部Ｓの内面に回転可能に結合され、第１のアーム1の各対向する壁に付与された第１の対の連結孔2Aを通り、側部Ｓに大凡直交して延びて、第１のアーム1がその回りに回転することが出来る大凡水平な軸Ｘ-Ｘを規定する。
【００４５】
好ましくは、インターフェイス手段16がアセンブリ100を家具Ｍの一部分の側部Ｓに取り付けるために付与される。該インターフェイス手段16は家具の一部分の側部Ｓの内面に位置するのに適し、内側にしっかりと取り付けられるインターフェイスの第１の平坦部16Aと、第１の平坦部16Aに対向して置かれて第１の平坦部16Aに平行であって、接続部分16Cによって第１の平坦部16Aに接続されたインターフェイスの第２の平坦部16Bとを備え、インターフェイスの第１及び第２の平坦部16A、16Bは、第１のピン2の通路用である第２の対の連結孔2Bにより交差される。
【００４６】
以下により詳細に記載するように、第１のピン2は、回転の固定軸X-Xの回りで弾性手段7を第１のアーム1に同軸に接続するために、第３の連結孔2Cを貫通するように構成される。
第２のアーム8は、第２のピン5の回りで第１の端部8Aを第１のアーム1の第２の端部1Bに連接し、対応する第４の対の連結孔5A及び第５の対の連結孔5Bを通過し、第４の対の連結孔5Aは第１のアーム１の相互に対向する壁の上に置かれ、第５の対の連結孔5Bは第２のアーム８の相互に対向する壁の上に付与される。
【００４７】
最後に、第３のアーム10は、第３のピン14の回りで第１の端部8Aに対向して、第１の端部10Aを第２のアーム8の第２の端部8Bに連接し、夫々第２のアーム8及び第３のアーム10の対向する壁上に配備された第６の対の連結孔14A及び第７の対の連結孔14Bを通過する。
有利なことに、第３のアーム10はインターフェイス面101を備え、該インターフェイス面を介してドアＡが取り付けられる。
上記したように、ガイド手段はアーム1、8、10と協働するように構成された第１及び第２のタイロッドガイド手段6、11を備えて、引き込み位置と引き出された位置との間の移動を駆動して前記ドアは回転並進運動を実行する。
【００４８】
好ましくは、ガイド手段6の第１のタイロッドは家具の一部分の側部Ｓに取り付けられる第４のピン4の回りにて第１の端部6A、好ましくは第１のピン2の近傍で連接され、対向する端部6Bは第５のピン12の回りで第２のアーム8の第１の端部8Aに対応して結合される。
好ましくは、図３Ｂに示すように、第４のピン4は通過せず、連結手段16のインターフェイスの第１及び第２の平坦部16A、16Bから延びる２つの同軸で分離した要素によって規定され、第４のピン4は第１のアーム1に収納された弾性手段7の第１のピン2の動きを邪魔しない。
【００４９】
第５のピン12は第１のタイロッド6の第２の端部6B上に付与された両方の孔12Aを通って挿入され、第２のアーム8の対向する壁に作られた第９の対の連結孔12Bを通って挿入され、連結孔12Bは第１の端部8Aに対応して第５の対の連結孔5Bの位置に対して偏心している。
更に、第１のタイロッド6は、ハウジングの第２の端部6B、6Cに対応して、アセンブリ100が引き出された形態にあるときに、第6のピン13を挿入するように構成された凹状ベースを有するように形成される。
【００５０】
第２のタイロッドガイド手段11は代わりに、第１のアーム1の第２の端部1Bにて、第６のピン13によって、第１の端部11Aが第１のアーム1に連接され、反対側の端部11Bは第７のピン17の回りにて第３のアーム10の第１の端部10Aに保持される。
特に、第６のピン13は、第１のアーム1の互いに対向する壁に設けられた第１０の対の連結孔13Aを通り、第４の対の連結孔5Aの位置に対して偏心しており、第２のタイロッド11の第１の端部11Aに得られた第１１の対の連結孔13Bを通る。
【００５１】
更に、有利な点として、第６のピン13は、第２のアーム8を形成する対向した壁に付与される一対のガイドスロット130にスライドするように係合し、ガイドスロット130は第２のアーム8の第１の端部8Aに対応し、各ガイドスロットは第２のピン5が通る第５の対の連結孔5Bに対して一定半径を有する周縁弧に沿って延び、連結孔5Bと第２のアーム8の第１の端部8Aの縁との間にあるのが好ましい。
これらのガイドスロット130は、アセンブリ100が引込み形態と引出し形態を夫々採るときに、第６のピン13がその端縁130Aに達するように形成されている。
【００５２】
第７のピン17は、第２のタイロッド11の第２の端部11B上に付与された第１２の対の連結孔17Aを通り、同時に第３のアーム10の相互に対向し平行な壁上に付与された第１３の対の連結孔17Bを同時に通り、該連結孔17Bは第３のピン14が挿入され得る第７の対の連結孔14Bの位置に対して偏心している。
【００５３】
更に、第２のタイロッド11は、第３のアーム10に取り付けられた端部に対応して、ハウジングの凹状ベース11Cを有し、アセンブリ100が引出し形態にあるときに第３のピン14が挿入されるように構成される。
開位置から閉位置に変化する際のドアAの動きを減じるために、摩擦ピストンのような減衰手段15が付与されて、第２のタイロッドガイド手段11の内側に収納される。
【００５４】
弾性手段7は互いに平行に延び、含有部材9の内側で前負荷を掛けた状態で挿入される複数の螺旋バネ、又は互いに分離され弾性手段7の各端部7A、7Bに配置された一対の含有部分9A、9Bによって形成されるカフを備えるのが好ましい。
【００５５】
有利な点として、弾性手段7は第１のピン2の回りにて第１の端部7Aを第１のアーム1に同軸にヒンジ接続し、反対側の端部7Bを第２のアーム8にヒンジ接続し、反対側の端部7Bは第８のピン3の回りで第１の端部8Aの相互に対向した壁に付与された第１４の対の連結孔3Aに対応し、第８のピン3はアセンブリ100の第１の瞬間回転中心を形成する第２のピン5に対して偏心して位置する。
有利な点として、弾性手段7の調整手段70が付与されて、種々のサイズ及び重さのドアへの使用にアセンブリ100を適合させることが出来るように構成される。
【００５６】
図４に関して、調整手段70は１以上の調整ネジ71を備え、第１の端部7Aによって弾性手段7に対応して同軸に挿入され、調整ネジ71は調整ヘッド71Aとねじ切りロッド71Bを備えるのが好ましく、ねじ切りロッド71B上にワッシャのような隣接手段72が付与される。
【００５７】
各調整ネジ71のねじ切りロッド71Bは、対応する係合本体73の内部ネジに連繋するのに適しており、円筒形で中空が好ましく、弾性手段7の第２の端部7Bから同軸に挿入可能で、例えば第２の含有部分9B上に付与された弾性手段7の例えば、下側支持ベースによって形成される第２の隣接手段91と一体である。
【００５８】
弾性手段7上の負荷を調整すべく、調整ネジ71のヘッドに適切なツール71Aが用いられなければならず、例えばツールを第１の含有部分9Aの頂部に付与された貫通孔92に置き、締付け方向又は逆方向に回転し、対応する係合本体73のネジをロッド71Bのネジに沿ってスライドし、第１の隣接手段72と第２の隣接手段91との間で弾性手段7を圧縮又は非圧縮し、所望の負荷を課すことによって調整される。
【００５９】
引き込み位置と引き出された位置との間の通路において、上述したアセンブリ100内の様々な要素の配置によって引き起こされる力線の効果である本発明の更なる有利な特徴に従って、図６に示すようにデッドロックが識別され、デッドロックは第１のピン2と第８のピン3との間の作業面と協調し、第１のピン2はアセンブリ100の固定した回転中心として作用し、第１のピン2にて弾性手段7の第１の端部7Aが第２のピン5に取り付けられ、アセンブリ100の回転の第１の瞬間中心を形成し、第８のピン3にて弾性手段7の第２の端部7Bが保持される。
更に、有利な点として、アセンブリ100のデッドロックは、弾性手段7が最大に圧縮された形態の時に達成される。
【００６０】
特に、デッドロックは、前記アセンブリ100が不安定にバランスしている地点であり、更に、例えばユーザによって可成り限定された力が加えられても、アセンブリ100が不安定になることにつながり、引きづり込まれ又は押され又は引き出されて、形態は弾性手段7の動作により当初意図された形態に達する。
【００６１】
換言すれば、閉位置が開位置に変化する時、ユーザは付与されたグリップを用いてドアＡを開き、図６に矢印Ｙで示すように、引き込まれた位置から引き出された位置までの、アセンブリ100の自発的な動きを続けることにより、上記で規定したデッドロックを乗り越え、弾性手段7の弾性的な突出し故に引出された位置に達し、故にユーザがドアを引く必要無しにドアＡの開位置が達成される。
【００６２】
同様に、反対方向の動きについて、即ちユーザが最初に動かすドアＡの開位置から閉位置の動きについて、上記で規定されたデッドロックを乗り越えることは、図６に矢印Ｚで示すように、引き出された位置から引き込まれた位置へのアセンブリ100の自主的な動きが続くことを含み、これは弾性手段7の弾性復帰により達成され、故にドアＡの閉位置が達成される。
【００６３】
しかし、閉動作は更にアセンブリ100に作用するドアＡの自重によって倍加される(accentuated)。そのような目的から、ドアＡの動くを遅くすべく減衰手段15が付与されて、ドアは制御された方法で閉位置に達する。
上記の如く、前記減衰手段15は前記第２のタイロッドガイド手段11の内側に収容されたピストンを備えるのが好ましく、該ピストンはドアＡを閉じるときに、アセンブリ100が方向Zにデッドロックを乗り越えると直ぐに前記第２のアーム8に設けられた適切な当接面88に当接するのに適している。
【００６４】
家具Ｍの一部分であるドア用のアセンブリ100の動作は、以下に示される。図５に関し、ドアが閉位置にあるときに、即ち大凡垂直面にあるときに、家具Ｍの一部分の側部Ｓに当接して、前記アセンブリ100は引き込まれた形態を採り、第１のアーム1と第３のアーム10は前記ドアＡに平行に延びているのが好ましく、一方、前記第1のアームの前記第２の端部1Bと前記第２のアーム10の前記第１の端部10Aとに接合された前記第２のアーム8は、第１のアームと一緒に傾斜した位置に配置される。
【００６５】
前記第２のタイロッドガイド手段11の第１の端部11Aを前記第２のアーム8の端部8Aの前記第１の位置にスライドさせることによって関節運動する第６のピン13は、前記スロット130の端部130Aの前記第1の端部に対応して位置し、第６のピン13は文脈上、その第２の端部6Bに対応して、前記第１のタイロッドガイド手段6上に設けられたハウジング6Cのベースに収容される。
【００６６】
減衰ピストン15は、第２のアーム8に設けられた当接面88に対して大凡完全に圧縮されている。
この位置に於いて、前記弾性手段7の第２の端部7Bを前記第２のアーム8に連接する第８のピン3は、前記第１のピン2と第１のアーム1が沿う第２のピン5を接続する軸に対して基本的に軸の外側に位置し、従って、前記弾性手段7のスラスト動作は、第２のピン5に対して、アセンブリ100を引き抜く方向とは反対の方向に偏心的に解放され、アセンブリ100を引き込み位置に弾性的に保持する。
【００６７】
図６に関し、図６はアセンブリ100が「デッドロック」位置にあることを示し、即ち、引き込まれた形態と引き出された形態との間の切換えにおける不安定なバランスを示す。
この位置に於いて、述べたように、前記第８のピン3は、前記第１のピン2と前記第２のピン5とを接続する軸と大凡整列しており、前記弾性手段7は最大圧縮位置にあり、 同時に、前記第６のピン13は、前記第１のタイロッドガイド手段6上に設けられたハウジングのベース6Cから解放され、スロット130の内側で直進運動をする。
【００６８】
最後に、図７に関して、図７はアセンブリ100が引き出された形態にあることを示す。この位置に於いて、前記アセンブリ100は、引き込まれた形態に対して前記Ｘ-Ｘ軸の周りを回転し、一方、前記ドアＡは開位置に達するまで回転並進運動を行った。
この移動のリミットスイッチは、例えば、弾性手段7の第２の含有部分9Bと第２のピン5との接触によって、または含まれるならば、第３のピン14と減衰ピストン15との接触によって決定することができる。
【００６９】
前記第６のピン13は、前記スロット130の端部130Bの第２縁に対応して位置し、一方、前記第３のピン14は、第２のタイロッドガイド手段11に設けられた対応するハウジングのベース11Cに大凡収納され、ベース11Cは第２のタイロッドガイド手段11の第２の端部11Bに対応している。
【００７０】
この位置に於いて、前記弾性手段7の第２の端部7Bを前記第２のアーム8に接続する前記第８のピン3は、第１のピン2と第２のピン5を結び、前記第１のアーム1が沿って大凡水平に延びる軸の外側に位置し、前記弾性手段7の押圧作用は、第２のピン5に対してアセンブリ100の引き出し方向に偏心して解放され、引き出された位置にアセンブリを弾性的に保持する。
ドアＡを閉じるために、上記の動作が逆に実行される。ドアＡの閉動作の限界は、家具Ｍの一部分の側部Ｓに対してドアＡを停止させ、又は含まれるならば、減衰ピストン15の到達から決定される。
【００７１】
本発明の特に有利な点として、図８Ａ、図８Ｂ、図９Ａ−図９Ｃに示すように、伝達手段150を介して電気モータのような作動手段200がアセンブリ100に接続され、家具Ｍの一部分であるドアＡを開き及び／又は閉じる動作を手助けする。
特に、作動手段200は例えば、少なくとも１つの電気モータを備え、好ましくは一対の電気モータ21、22が家具Ｍの一部分の側部Ｓに接続され、前記伝達手段150は利点として、１以上の歯付きホィール18、19を備え、該ホィールは前記の第１のピン2に同軸に取り付けられ第１のアーム1に一体化された歯付きホィール20に回転動作を伝達するのに適している。
必要であれば、前記作動手段200及び伝達手段150を覆うべく、保護ケース23が配備される。
【００７２】
最後に、例えば、LEDスポットライト（図示せず）などの照明装置が、前記第３のアーム10の箱形の本体内に収容されるのが好ましい。前記照明装置は、オン又はオフするために、適切な電気スイッチによって操作され得る。代替例として有利なことに、前記照明装置はドアＡの動きに従って、当該技術分野の専門家によって公知のシステムによって自動的に作動され得る。
結論として、本発明による家具Ｍの一部分であるドアＡの動作アセンブリが当初予想された目的及び利点を達成するために如何に必要とされるかは前述から明らかである。
【００７３】
明細書の記載及び図面から理解されるように、アセンブリ100は、関節アームの移動のために、１つの固定された回転中心を提供するため、非常にコンパクトである。
利点として、本発明に従ったアセンブリ100はまた安全である、というのは、ガイド手段6、11ロッド及び作動及び保持手段7のような動きを許容される異なる手段及びデバイスが関節アームの箱形本体の内側に収納され、従ってユーザが指を置くことが出来る開口がアセンブリの内側になく、更に追加のカバーケースが用いられる必要が無い。
【００７４】
更に、本発明に従ったアセンブリ100は、家具の一部分の側部に対して最小の数の固定点、特に第１のアーム1によって覆われる大凡２つのピン、即ち第１のピン2及び第１のピン2の近傍に置かれる第４のピン4が必要であり、従って、家具の一部分の美的外観を保ち、審美的にも快適なものとなるのを手助けする。
最後に、本発明に従ったドアアセンブリは完全に実用的であり、あらゆるサイズ及び重量のドアＡのスムーズな動作を確実にする。
明白なことに、添付の特許請求の範囲によって規定された保護範囲を縮小することなく、多くの応用、修正、変形を有する。更に、本発明の実施形態に用いられるより多くの適切な材料及び機器があり、同様に特定の用途に基づいて個々の形状及びサイズの要素がある。
【図１Ａ】
2018535344.tif 000003
【図１Ｂ】
2018535344.tif 000004
【図１Ｃ】
2018535344.tif 000005
【図２Ａ】
2018535344.tif 000006
【図２Ｂ】
2018535344.tif 000007
【図２Ｃ】
2018535344.tif 000008
【図３Ａ】
2018535344.tif 000009
【図３Ｂ】
2018535344.tif 000010
【図４】
2018535344.tif 000011
【図５】
2018535344.tif 000012
【図６】
2018535344.tif 000013
【図７】
2018535344.tif 000014
【図８Ａ】
2018535344.tif 000015
【図８Ｂ】
2018535344.tif 000016
【図９Ａ】
2018535344.tif 000017
【図９Ｂ−９Ｃ】
2018535344.tif 000018
【国際調査報告】
2018535344.tif 000019
2018535344.tif 000020
2018535344.tif 000021